(57)【要約】      （修正有）【課題】芳香成分を発する着脱可能な芳香キャリアを有する発光装置を提供する。【解決手段】発光装置は、本体１１と、発光ユニット１２と、ケースと、芳香キャリア１４とを有している。発光ユニット１２は、本体１１上に設置されている。ケースは、本体１１上に設置され、発光ユニット１２を覆っている。ケースは、複数の開口１３０を有している。芳香キャリア１４は、複数の開口１３０のうちの少なくとも一部に着脱可能に設置されている。芳香キャリア１４中の香料（香り）の拡散率は、芳香キャリア１４が発光ユニット１２によって熱せられるとき、上昇する。【選択図】図１Ａ
0003187210.tif 000002
【実用新案登録請求の範囲】
【請求項１】
本体と、
前記本体上に設置された発光ユニットと、
前記本体上に設置され、前記発光ユニットを覆い、複数の開口を有するケースと、
前記複数の開口のうちの１つの少なくとも一部に着脱可能に設置された芳香キャリアと、
を含むことを特徴とする発光装置。
【請求項２】
前記複数の開口は、第１の開口と、複数の第２の開口とを含み、
前記第１の開口は、前記ケースの前記本体と反対側に設けられ、
前記複数の第２の開口は、前記発光ユニットのまわりに配置されている請求項１に記載の発光装置。
【請求項３】
前記ケースは、第１のシェルと、第２のシェルとを有し、
前記第２のシェルは、前記本体を取り囲み、
前記第１のシェルは、前記第２のシェル上に設置され、前記発光ユニットを覆う請求項２に記載の発光装置。
【請求項４】
前記第１の開口は、前記第１のシェルに形成され、
前記複数の第２の開口は、前記第２のシェルに形成されている請求項３に記載の発光装置。
【請求項５】
前記第１の開口と、前記複数の第２の開口とは、前記第１のシェルに形成されている請求項３に記載の発光装置。
【請求項６】
前記第１の開口は、前記第１のシェルに形成され、
前記複数の第２の開口は、前記第１のシェルと、前記第２のシェルとに形成され、
前記第１のシェルと、前記第２のシェルとは、前記複数の第２の開口を共に形成する請求項３に記載の発光装置。
【請求項７】
前記第１のシェルの材料は、透明な材料、または、前記発光ユニットから発せられる光が前記第１のシェルを通過するような半透明な材料である請求項３ないし６のいずれかに記載の発光装置。
【請求項８】
前記芳香キャリアは、前記複数の第２の開口のうちの１つに着脱可能に設置されている請求項２ないし７のいずれかに記載の発光装置。
【請求項９】
前記複数の開口は、第１のサイドと、第２のサイドとを有する第３の開口をさらに含み、
前記第１のサイドは、前記第１の開口に向かって延在し、
前記第２のサイドは、前記第２のサイドと連通する前記複数の第２の開口のうちの１つに向かって延在する請求項２ないし８のいずれかに記載の発光装置。
【請求項１０】
前記芳香キャリアは、前記第３の開口の前記第１のサイドに着脱可能に設置されている請求項９に記載の発光装置。
【請求項１１】
前記本体の前記発光ユニットと反対側に設けられたスクリューベースをさらに有する請求項１ないし１０のいずれかに記載の発光装置。
【考案の詳細な説明】
【技術分野】
【０００１】
本発明は、発光装置に関し、より具体的には、芳香キャリア（fragrance carrier）を有する発光装置に関する。
【背景技術】
【０００２】
近年、全ての種類の香料に対し、人々の反応に対する多くの調査結果がある。特別な香り（flavors）を楽しむ人もいれば、そうでない人もいる。異なる香りは、人間に異なる感情（feeling）を与える。フレグランス産業において、特別な香りを発する全ての種類のタイプ（manners）が開発されている。たとえば、エッセンシャルオイルで作られたキャンドルを燃焼させ、揮発性オイルスプレー器を熱するような発光芳香（lightning incense）が挙げられる。しかし、香料やキャンドルは、不完全燃焼し、一酸化炭素中毒の原因を引き起こす。さらに、消費者は、揮発性オイルスプレー器を使用するとき、それに使用する機器を別途購入する必要がある。これは、消費者のコスト増を招く。
【考案の概要】
【考案が解決しようとする課題】
【０００３】
上記問題点に鑑み、本発明は、発光装置によって熱せられるとき、芳香成分を発する着脱可能な芳香キャリア（fragrance carrier）を有する発光装置を提供することにある。
【課題を解決するための手段】
【０００４】
本発明の１つの実施形態は、本体と、発光ユニットと、ケースと、芳香キャリアとを有する発光装置を提供する。発光ユニットは、本体上に設置されている。ケースは、本体上に設置され、発光ユニットを覆っている。ケースは、複数の開口を有している。芳香キャリアは、複数の開口のうちの少なくとも一部に、着脱可能に設置されている。
【考案の効果】
【０００５】
前述された本発明の発光装置によれば、発光装置は、それが使用されるとき、熱を発する。外の空気は開口を通じて発光装置に入り、発光装置内の芳香キャリア中の方向成分はその空気と接触する。空気と芳香成分の両方は、芳香ユニットの使用中に芳香ユニットによって熱せられ、発光装置の開口から放出される。芳香キャリアは、開口に着脱可能に設置され、芳香キャリアにおける芳香成分は、発光ユニットから発せられる熱によって拡散される。したがって、ユーザーは、別途機器を購入することなく、芳香成分を空気中に拡散することができる発光装置を使用するだけでよい。さらに、ユーザーは、異なるフレーバーが必要とされるとき、最初の（original）芳香キャリアを除去し、新しい芳香キャリアと交換しさえすればよい。
【０００６】
本発明のさらなる説明を提供するために、本発明の特徴、実施、利点は、発明の構造が例として示される添付図面にあるように、最先端の技術である。
【０００７】
本発明は、例示の目的のためだけに、本明細書中に記載された詳細な説明から十分に理解されるが、詳細な説明の記載に制限されるものではない。
【図面の簡単な説明】
【０００８】
【図１Ａ】本発明の１つの実施形態に係る発光装置を示す斜視図である。
【図１Ｂ】図１に示される発光装置の概略断面図である。
【図２】本発明の別の実施形態に係る発光装置を示す斜視図である。
【図３】本発明の他の実施形態に係る発光装置を示す斜視図である。
【考案を実施するための形態】
【０００９】
以下の詳細な説明において、説明の目的のために、多くの詳細な具体例が本発明の実施形態の理解を提供するために説明される。１または２以上の実施形態は、これら詳細な具体例なしに実施され得る。公知の構造や公知のデバイスは、図を簡略化するために模式的に示される。
【００１０】
図１Ａを参照すると、図１Ａは、本発明の１つ実施形態に係る発光装置を示す斜視図である。本発明の発光装置１は、本体１１と、発光ユニット１２と、ケース１３と、芳香キャリア１４とを有している。発光ユニット１２は、本体１１上に設置されている。ケース１３は、本体１１上に設置され、発光ユニット１２を覆っている。ケース１３は、複数の開口１３０を有している。芳香キャリア１４は、複数の開口１３０のうちの１つの少なくとも一部に設置されている。複数の開口１３０は、第１の開口１３１と、複数の第２の開口１３２と、第３の開口１３３とを含んでいる。第１の開口１３１は、ケース１３の本体１１とは反対側（すなわち、ケース１３の上部）に配置されている。複数の第２の開口１３２は、発光ユニット１２の回りに配置されている。第３の開口１３３は、複数の第２の開口１３２の一つと連通されている。ケース１３は、第１のシェル１３ａと、第２のシェル１３ｂとを含む。第２のシェル１３ｂは、本体１１を取り囲んでいる。第１のシェル１３ａは、第２のシェル１３ｂ上に設置され、発光ユニット１２を覆っている。第１のシェル１３ａの材料は、透明な材料、または発光ユニット１２から発せられた光が第１のシェル１３ａを通じて通過するように半透明な材料である。しかし、本発明はこれに限定されない。本発明の他の実施形態では、ケース１３は、ワンピース型に一体的に形成された構造であってもよい。
【００１１】
本発明の本実施形態において、発光装置１は、スクリューベース（screw base）１５をさらに含んでもよい。そのスクリューベース１５は、本体１１に設置され、発光ユニット１２とは反対側（すなわち、本体１１の下部）に位置している。芳香キャリア１４は、複数の第２の開口１３２のうちの一つに着脱可能に設置されている。第１の開口１３１は第１のシェル１３ａ上に形成され、複数の第２の開口１３２は第２のシェル１３ｂに形成されている。しかし、本発明はこれに限定されない。本発明の他の実施形態では、第１の開口１３１と複数の第２の開口１３２の両方は、第１のシェル１３ａに形成されていてもよい。また、本発明の他の実施形態では、第１の開口１３１は第１のシェル１３ａに形成され、複数の第２の開口１３２は第１のシェル１３ａと第２のシェル１３ｂに形成されてもよい。さらに、第１のシェル１３ａと第２のシェル１３ｂとは、第２の開口１３２を共に形成していてもよい。なお、芳香キャリア１４は、図１Ａに示すように、６面体形状（角柱状）に形成されている。
【００１２】
図１Ｂを参照すると、図１Ｂは、図１に示される発光装置の概略断面図である。芳香キャリア１４中の芳香成分は、ケース１３内に拡散され、空気と混合される。発光ユニット１２は、発光装置１が使用されるとき、熱を発する。ケース１３内の芳香成分を有する空気は、発光ユニット１２の上昇する熱によって熱せられ、それによって、空気の密度が小さくなる。
【００１３】
スクリューベース１５は、重力Ｇ方向において、本体の下部に設置される。したがって、第１の開口１３１は、スクリューベース１５と反対方向に面する。熱せられた空気は、低密度のために、第１の開口１３１から放出される。芳香成分は、発光装置１の第１の開口１３１から熱せられた空気とともに放出される。ケース１３の外側の冷たい空気は、複数の第２の開口１３２と第３の開口１３３とを通じてケース１３の中に入る。空気が熱せられたとき、芳香成分は、相互に不規則に衝突し、外部に簡単に拡散される。したがって、発光装置１は、空気の対流による発光ユニット１２からの熱を放散（dissipate）させるだけでなく、対流によって芳香キャリア１４の芳香成分を外部に同時に拡散させることができる。
【００１４】
図２を参照すると、図２は本発明の別の実施形態に係る発光装置を示す斜視図である。発光装置２は、発光装置１と同様であるため、共通する説明は省略される。しかし、本実施形態において、第３の開口２３３は、第１のサイド２３３ａと第２のサイド２３３ｂとを有し、第１のサイド２３３ａは第１の開口２３１に向かって延在している。第２のサイド２３３ｂは、第２のサイド２３３ｂと連通する複数の第２の開口２３２の一つに向かって延在している。芳香キャリア２４は、第３の開口２３３の全体に着脱可能に設置されている。なお、芳香キャリア２４は、第３の開口２３３に対応するような形状、すなわち、平面視で略１／４円状に形成されている。
【００１５】
冷たい空気は、発光装置２が使用されるとき、第２の開口２３２を通じて発光装置２内に入る。芳香キャリア２４の芳香成分は、発光装置２に入る空気と混合し、発光ユニット２２の上昇する温度によって熱せされる。熱せられたとき、芳香成分と空気とは、低密度のために、発光装置２の第１の開口２３１から放出される。熱せられた芳香成分は、相互に不規則に衝突し、外部に簡単に拡散される。したがって、発光装置２は、空気の対流による発光ユニット２２からの熱を放散（dissipate）させるだけでなく、対流によって芳香キャリア２４の芳香成分を外部に同時に拡散させることができる。
【００１６】
図３を参照すると、図３は本発明の他の実施形態に係る発光装置を示す斜視図である。発光装置３は、発光装置１と同様であるため、共通する説明は省略される。しかし、本実施形態において、第３の開口３３３は、第１のサイド３３３ａと第２のサイド３３３ｂとを有し、第１のサイド３３３ａは第１の開口３３１に向かって延在している。第２のサイド３３３ｂは、第２のサイド３３３ｂと連通する複数の第２の開口３３２の一つに向かって延在している。芳香キャリア３４は、第３の開口３３３の第１のサイド３３３ａに着脱可能に設置されている。なお、芳香キャリア３４は、ピン状に形成されている。
【００１７】
冷たい空気は、発光装置３が使用されるとき、複数の第２の開口３３２と第３の開口３３３の一部を通じて発光装置３の中に入る。芳香キャリア３４の芳香成分は、発光装置３に入る空気と混合し、発光ユニット３２の上昇する温度によって熱せされる。熱せられたとき、芳香成分と空気とは、低密度のために、発光装置３の第１の開口３３１から放出される。熱せられた芳香成分は、相互に不規則に衝突し、第１の開口３３１から外部に簡単に拡散される。したがって、発光装置３は、空気の対流による発光ユニット３２からの熱を放散（dissipate）させるだけでなく、対流によって芳香キャリア３４の芳香成分が外部に同時に拡散させることができる。
【００１８】
上述された本発明の発光装置によれば、発光ユニットは、それが使用されるとき、熱を発する。外部の空気は、開口を通じて発光装置内に入り、発光装置内にある芳香キャリアの芳香成分は、その空気と接触する（混合する）。空気と芳香成分の両方は、発光ユニットが使用されるとき、発光ユニットによって熱せられ、発光装置の開口から放出される。芳香キャリアは、開口に着脱可能に設置され、芳香キャリアの芳香成分は、発光ユニットから発せられた熱によって拡散される。したがって、ユーザーは、別途機器を購入することなしに、芳香成分が空気中に拡散することができる発光装置を使用するだけでよい。さらに、ユーザーは、異なる香りが必要とされるとき、最初の芳香キャリアを除去し、新しい芳香キャリアと交換するだけでよい。さらにまた、芳香キャリアの拡散率を上げるために、発光装置は、空気の対流による発光ユニットから熱を放散（dissipate）させるだけでなく、対流によって芳香キャリアの芳香成分を外部に同時に拡散させることができる。                      
【図１Ａ】
0003187210.tif 000003
【図１Ｂ】
0003187210.tif 000004
【図２】
0003187210.tif 000005
【図３】
0003187210.tif 000006